(57)【要約】      （修正有）【課題】高圧燃料ポンプのベーパーセパレータ内への組みつけ性の向上、ベーパーセパレータの小型化、ベーパーセパレータのメンテナンス性の向上を図る船外機用の燃料供給装置。【解決手段】ベーパーセパレータＶは、カバー２と下側本体１とが螺着して形成され、ベーパーセパレータＶ内には定液面制御装置Ｃにより一定の燃料液面Ｙ−Ｙが形成保持される。カバー２には、支持腕部２ｄが立設され、下端に係止孔２ｅが穿設される。ポンプホルダー９には係合腕部９ｄが立設され、上端に係合突部９ｅが突設される。高圧燃料ポンプＰの下端にポンプホルダー９の有底筒部９ｃが挿入され、ポンプホルダー９の係合突部９ｅがカバー２の係止孔２ｅに係合配置され、高圧燃料ポンプＰはポンプホルダー９とカバー２とにより挟持されて固定される。燃料フィルター１２の濾過部材１２ａは高圧燃料ポンプＰの長手軸心方向Ｘ−Ｘにおける高圧燃料ポンプＰの投影面内に配置される。【選択図】図１
2008175192.tif 000002
【特許請求の範囲】
【請求項１】
燃料タンク内の燃料が、低圧燃料ポンプによって、下側筐体とカバーとにより螺着形成されるベーパーセパレータ内へ供給され、ベーパーセパレータ内において定液面制御装置により一定なる燃料液面が形成保持され、前記ベーパーセパレータ内の燃料が、ベーパーセパレータ内に配置される高圧燃料ポンプによって昇圧されて燃料分配管内へ供給され、燃料分配管に装着される燃料噴射弁より機関に向けて燃料が噴射供給される船外機用の燃料供給装置において、カバー２より下方に向けて係止孔２ｅが穿設された支持腕部２ｄが立設され、又、有底カップ状をなすポンプホルダー９には有底筒部９ｃより上方に向かい支持腕部２ｄに臨むとともに係止孔２ｅに係合配置される係合突部９ｅが突設された係合腕部９ｄが立設され、前記ポンプホルダーの係合腕部９ｄに突設される係合突部９ｅを、カバー２の支持腕部２ｄに穿設される係止孔２ｅに係合配置することにより高圧燃料ポンプＰをカバー２とポンプホルダー９とにより挟持して固定し、更に高圧燃料ポンプＰの下端Ｐａより突出配置されるポンプ吸入路Ｐｂに、濾過部材１２ａを備える燃料フィルター１２を装着するとともに前記濾過部材を高圧燃料ポンプＰの長手軸心方向Ｘ−Ｘにおける高圧燃料ポンプＰの投影面内に臨んで配置したことを特徴とする船外機用の燃料供給装置。
【発明の詳細な説明】
【技術分野】
【０００１】
本発明は、燃料タンク内の燃料が低圧燃料ポンプによって低圧に昇圧され、この低圧燃料が下側筐体とそれをおおうカバーとにより螺着形成されるベーパーセパレータ内へ供給されるとともにベーパーセパレータ内に定液面制御装置により一定なる燃料液面が形成保持され、更にベーパーセパレータ内の燃料がベーパーセパレータ内に配置される高圧燃料ポンプによって高圧に昇圧され、この高圧燃料が燃料分配管、燃料分配管に装着される燃料噴射弁を介して機関へ噴射供給される船外機用の燃料供給装置に関する。
【背景技術】
【０００２】
かかる船外機用の燃料供給装置は特許文献１に開示される。これによるとベーパーセパレータは、下側筐体と下側筐体の上部開口を閉塞するカバーとにより略密閉されたベーパーセパレータが形成され、ベーパーセパレータ内に収納配置される高圧燃料ポンプは、高圧燃料ポンプの上端及び下端にそれぞれ対接して配置されるゴムマウントを介して下側筐体とカバーとにより挟持されて固定される。又、高圧燃料ポンプのポンプ吸入路は高圧燃料ポンプの側方に開口し、この開口に向けて濾過部材を備える燃料フィルターが装着配置される。
【特許文献１】特開平５−２４８３２２号公報
【発明の開示】
【発明が解決しようとする課題】
【０００３】
かかる従来の船外機用の燃料供給装置によると、高圧燃料ポンプのベーパーセパレータ内への組みつけは、高圧燃料ポンプの上端及び下端にそれぞれゴムマウントを装着し、この状態において、高圧燃料ポンプの上端に向けてカバーをかぶせるとともに高圧燃料ポンプの下端に向けて下側筐体をかぶせ、更に下側筐体とカバーとの対向鍔部を螺着結合することによって高圧燃料ポンプを下側筐体とカバーとにより挟持したものである。上記によれば、かかる高圧燃料ポンプのベーパーセパレータ内への組みつけは、下側筐体とカバーとが対向配置されて高圧燃料ポンプの周囲が下側筐体とカバーとにより囲繞された状態にて行なわれるもので、高圧燃料ポンプが所定の位置に正確に配置されて組みつけられたかどうかの確認は困難であり、ベーパーセパレータ内への高圧燃料ポンプの組みつけに熟練を要し、組みつけ作業性が大きく阻害される。又、高圧燃料ポンプの下端には下側のゴムマウントが装着され、このゴムマウントが下側筐体の底部に当接して配置される。（これは高圧燃料ポンプが下側筐体とカバーとにより挟持される為である。）これによると、燃料フィルターの濾過部材を高圧燃料ポンプの下端に臨んで配置することができない。以上によれば、濾過部材が高圧燃料ポンプの側方に大きく突出して配置されることになりベーパーセパレータを小型化する際において支障となる。このとき濾過部材の濾過面積を小さくすることでベーパーセパレータを小型化することは可能なものであるが、燃料フィルターのメンテナンス作業をひんぱんに行なう必要があり、実用上好ましいものでない。更に、かかる船外機用の燃料供給装置にあっては、自動車、オートバイの使用環境に比較して水の存在する場所で使用されるものであり、これによるとベーパーセパレータに穿設されるエアベント孔を介してベーパーセパレータ内へ水、海水等が浸入して滞溜することがあり、他の用途に比較すればベーパーセパレータを分解し、ベーパーセパレータ内に滞溜する水を除去する頻度が高い。ここでかかるメンテナンス作業時において、下側筐体とカバーとの螺着を解除し、下側筐体を取り外した際、下側筐体とカバーとによって挟持される高圧燃料ポンプはベーパーセパレータから脱落し易いものでこれによると、かかるメンテナンス作業性が大きく阻害される。
【０００４】
本発明は上記不具合に鑑み成されたもので、高圧燃料ポンプのベーパーセパレータ内への組みつけ性の向上及び燃料フィルターの濾過部材の濾過面積を減少させることなくベーパーセパレータの小型化の達成、更にベーパーセパレータのメンテナンス作業性の向上、を図ることのできる船外機用の燃料供給装置を提供することを目的とする。
【課題を解決するための手段】
【０００５】
本発明になる船外機用の燃料供給装置は、前記目的を達成するために、燃料タンク内の燃料が、低圧燃料ポンプによって、下側筐体とカバーとにより螺着形成されるベーパーセパレータ内へ供給され、ベーパーセパレータ内において定液面制御装置により一定なる燃料液面が形成保持され、前記ベーパーセパレータ内の燃料が、ベーパーセパレータ内に配置される高圧燃料ポンプによって昇圧されて燃料分配管内へ供給され、燃料分配管に装着される燃料噴射弁より機関に向けて燃料が噴射供給される船外機用の燃料供給装置において、カバーより下方に向けて係止孔が穿設された支持腕部が立設され、又、有底カップ状をなすポンプホルダーには有底筒部より上方に向かい支持腕部に臨むとともに係止孔に係合配置される係合突部が突設された係合腕部が立設され、前記ポンプホルダーの係合腕部に突設される係合突部を、カバーの支持腕部に穿設される係止孔に係合配置することにより高圧燃料ポンプをカバーとポンプホルダーとにより挟持して固定し、更に高圧燃料ポンプの下端より突出配置されるポンプ吸入路に、濾過部材を備える燃料フィルターを装着するとともに前記濾過部材を高圧燃料ポンプの長手軸心方向における高圧燃料ポンプの投影面内に臨んで配置したことを特徴とする。
【発明の効果】
【０００６】
本発明になる船外機用の燃料供給装置によると、高圧燃料ポンプのベーパーセパレータへの取りつけは以下によって行なわれる。まず高圧燃料ポンプの下端からポンプホルダーの有底筒部を上方に向けて挿入し、有底筒部の底部を高圧燃料ポンプの下端に当接配置する。次いでポンプホルダーの係合腕部をカバーの支持腕部に臨んで配置するとともに係合腕部に突設される係合突部を支持腕部に穿設される係止孔に向けて係合配置するもので、これによって高圧燃料ポンプはカバーとポンプホルダーとにより確実に挟持固定される。以上によれば、高圧燃料ポンプはカバーの下方が全て開口した状態において、ポンプホルダーによって組みつけられるので、高圧燃料ポンプを目視した状態でその組みつけを行なうことができ、高圧燃料ポンプの位置の確認、倒れの確認を確実に行なうことができ、もってその作業に熟練を要することなく燃料ポンプの組みつけ性を大きく向上できたものである。又、高圧燃料ポンプの下端より突出するポンプ吸入路に装着される燃料フィルターは、その濾過部材が高圧燃料ポンプの長手軸心方向における高圧燃料ポンプの投影面内に配置することができたので、高圧燃料ポンプの投影面内に配置された分に相当して濾過部材が高圧燃料ポンプの側方へ突出することを抑止できる。以上によれば、濾過部材の濾過面積を減少させることなく、濾過部材の高圧燃料ポンプの側方への突出を小さくできたので、ベーパーセパレータを小型化する上で効果的である。更にベーパーセパレータ内に滞溜する水を除去する為のメンテナンス作業時において、下側筐体をカバーより外し、下側筐体内に滞溜する水を排除する際、下側筐体がカバーより取り外されたとしても高圧燃料ポンプは依然としてポンプホルダーによってカバーに向けて挟持されて保持される。以上によれば、かかるメンテナンス作業時にあっても高圧燃料ポンプが脱落することがないので、メンテナンス作業性を大きく向上できたものである。
【発明を実施するための最良の形態】
【０００７】
以下、本発明の船外機用の燃料供給装置の一実施例について図１により説明する。１は下方に底部１ａを有し、上方が開口するとともにその開口端部に側方にのびる鍔部１ｂが形成された有底カップ状をなす下側筐体である。２は前記下側筐体の開口部を閉塞するカバーであり、カバー２は以下の構成を備える。２ａは、カバー２の上底部２ｂに開口する高圧燃料吐出孔であり、具体的にこの高圧燃料吐出孔２ａは吐出路挿入孔２ｃをもって上底部２ｂに開口する。又、吐出路挿入孔２ｃの外側方には、上底部２ｂより下方に向けて複数（３本又は４本）の支持腕部２ｄが突出して立設されるもので、この支持腕部２ｄの下端近傍には係止孔２ｅが貫通して穿設される。尚、前記支持腕部は円周上に等間隔で配置されるのが好ましい。（例えば１２０度間隔である）又、上底部２ｂには、低圧燃料流入孔２ｆが開口するもので、具体的にこの低圧燃料流入孔２ｆはバルブシート圧入孔２ｇをもって上底部２ｂに開口する。又、カバー２には以下の定液面制御装置Ｃが装着される。３はバルブシート圧入孔２ｇ内に圧入配置されるバルブシートであり、内部を貫通する流路３ａには下方に臨む弁座３ｂが形成される。又、４はバルブシート３の流路３ａ内に移動自在に配置されるとともに弁座３ｂに臨み、弁座３ｂを開閉する弁部４ａを備える弁体であり、弁体４の下端はバルブシート３の下端より下方に突出して配置される。５は弁体４の下端に臨んで配置されるフロートアームであり、その左端はカバー２に支持されたフロートアームピン６に回転自在に支持され、右端にはフロート７が取着される。すなわち、フロート７が下方へ移動すると、フロートアーム５はフロートアームピン６を基準に図において時計方向に回転して弁体４の弁部４ａがバルブシート３の弁座３ｂを開かし、一方フロート７が上方へ移動すると、フロートアーム５はフロートアームピン６を基準として反時計方向に回転し、弁体４の弁部４ａはバルブシート３の弁座３ｂを閉塞する。尚、カバー２の下方の開口端には、下側筐体１の鍔部１ｂに当接する鍔部２ｈが形成される。次にポンプホルダー９について説明する。ポンプホルダー９は、その下方に底部９ａと、底部９ａから上方に向かって突出する円筒部９ｂとにより形成される有底筒部９ｃと有底筒部９ｃの上端（いいかえると円筒部９ｂの上端）から更に上方に向かって突出する係合腕部９ｄとにより形成される。この係合腕部９ｄは、カバー２の支持腕部２ｄの内側面に重なりあって当接するよう支持腕部２ｄに臨んで形成されるもので、係合腕部９ｄは支持腕部２ｄの数と同一に形成され、更に係合腕部９ｄの上端近傍には支持腕部２ｄの係止孔２ｅ内に係合配置される係合突部９ｅが側方に突出して形成される。又、ポンプホルダー９は合成樹脂材料によって形成されるもので、これは係合突部９ｅを係止孔２ｅ内に係合配置する際、係合腕部９ｄをその弾性を利用して揺動させる為である。又、底部９ａには貫通孔９ｆが穿設される。
【０００８】
次に、ベーパーセパレータＶの組みつけについて説明する。カバー２には予め、バルブシート３、弁体４、フロートアーム５、フロートアームピン６、フロート７よりなる定液面制御装置Ｃが組みつけられる。又、ポンプホルダー９の有底筒部９ｃ内に高圧燃料ポンプＰの下方が挿入配置されるもので、このとき高圧燃料ポンプＰの下方外周は円筒部９ｂ内に微少間隙をもって挿入配置され、高圧燃料ポンプＰの下端Ｐａはクッションリング１０を介して底部９ａに臨んで配置される。尚、高圧燃料ポンプＰの下端Ｐａにはポンプ吸入路Ｐｂが下方に向けて突出して形成されるものであり、このポンプ吸入路Ｐｂは、ポンプホルダー９の底部９ａを貫通する貫通孔９ｆを介して底部９ａより下方に向けて突出配置される。又、高圧燃料ポンプＰの上端Ｐｃ上には環状のカラー部材１１が配置される。この環状のカラー部材１１は弾性材料で形成されることが好ましいが、カラー部材１１を廃止することもできる。又、ポンプ吸入路Ｐｂには濾過部材１２ａを備える燃料フィルター１２が装着される。以上によると高圧燃料ポンプＰの下端Ｐａの近傍にポンプホルダーＰの有底筒部９ｃが挿入配置され、高圧燃料ポンプＰの上端Ｐｃの近傍にカラー部材１１が挿入配置され、更にポンプ吸入路Ｐｂに濾過部材１２ａを備える燃料フィルター１２が装着された。
【０００９】
そして、高圧燃料ポンプＰは以下によってカバー２に組みつけられる。カバー２の下方の開口から高圧燃料ポンプＰを備えるポンプホルダー９が上方に向けて移動配置されるもので、これによると高圧燃料ポンプＰの上端Ｐｃより上方に突出するポンプ吐出路Ｐｄがカバー２の吐出路挿入孔２ｃ内に向かって挿入移動するとともにカラー部材１１の上端がカバー２の上底部２ｂに向かって移動し、更にポンプホルダー９の係合腕部９ｄの係合突部９ｅが内方（高圧燃料ポンプＰ側）へ揺動しつつ係止孔２ｅに向かって移動する。そしてポンプホルダー９の係合腕部９ｄの係合突部９ｅがカバー２の支持腕部２ｄの係止孔２ｅ内に係合した状態において係合腕部９ｄは原位置に揺動復帰し、ポンプホルダー９の上方移動が停止されるとともにポンプホルダー９がカバー２に係合配置されたもので、これによって高圧燃料ポンプＰはクッションリング１０、カラー部材１１を介してカバー２の上底部２ｂとポンプホルダー９の底部９ａによって挟持されて固定され、ポンプ吐出路Ｐｄは吐出路挿入孔２ｃ内に気密的に挿入支持される。以上によってカバー２に燃料フィルター１２を備える高圧燃料ポンプＰ及び定液面制御装置Ｃが組みつけられたもので、上記カバー２の鍔部２ｈに下側筐体１の鍔部１ｂを当接配置するとともに両鍔部２ｂ、１ｂをネジ（図示せず）によって螺着することによりベーパーセパレータＶの組みつけが完了する。
【００１０】
かかるベーパーセパレータＶの低圧燃料流入孔２ｆは低圧燃料管２０を介して低圧燃料ポンプ２１、燃料タンクＴに流路接続され、高圧燃料吐出孔２ａは高圧燃料管２２を介して燃料噴射弁Ｊを備える燃料分配管Ｄへと流路接続される。
【００１１】
上記、船外機用の燃料供給装置によると、燃料タンクＴ内の燃料は低圧燃料ポンプ２１によって低圧燃料として昇圧され、この低圧燃料が低圧燃料管２０、低圧燃料流入孔２ｆ、バルブシート２ｇを介してベーパーセパレータＶ内に供給される。一方、ベーパーセパレータＶ内にあっては、バルブシート２ｇからベーパーセパレータＶ内に供給される低圧燃料がバルブシート３、弁体４、フロートアーム５、フロートアームピン６、フロート７よりなる定液面制御装置Ｃによって一定なる燃料液面Ｙ−Ｙが形成保持される。そして、高圧燃料ポンプＰが駆動されると、ベーパーセパレータＶ内に貯溜された燃料は、燃料中の異物が燃料フィルター１２の濾過部材１２ａによって濾過され、清浄な燃料がポンプ吸入路Ｐｂより高圧燃料ポンプＰ内に吸入され、ポンプ部によって高圧に昇圧された高圧燃料がポンプ吐出路Ｐｄ、高圧燃料吐出孔２ａ、高圧燃料管２２を介して燃料分配管Ｄに供給され、この高圧燃料が燃料噴射弁Ｊを介して機関（図示せず）に供給される。
【００１２】
ここで、本発明になる船外機用の燃料供給装置によると、高圧燃料ポンプＰの組みつけ性を大きく向上できる。すなわち、高圧燃料ポンプＰの下端Ｐａの近傍外周にポンプホルダー９の有底筒部９ｃが挿入配置され、かかるポンプホルダー９を備える高圧燃料ポンプＰが開口状態にあるカバー２の下方からカバー２の上底部２ｂに向けて上方移動され、ポンプホルダー９の係合突部９ｅがカバー２の係止孔２ｅに係合された状態において高圧燃料ポンプＰがポンプホルダー９とカバー２とによって挟持されて固定される。以上によれば、高圧燃料ポンプＰはその下方が開口状態にあるカバー２の上底部２ｂに向けて移動させるとともに開口状態にある係止孔２ｅに向けてポンプホルダー９の係合突部９ｅを係合すればよいので、上記いずれの装着状態を目視することができ、高圧燃料ポンプＰを正確に所定の位置に組みつけることができるとともにその組みつけに何等の熟練を必要とするものでなく高圧燃料ポンプの組みつけ作業を容易にして且つ確実に行なうことができる。尚、ポンプホルダー９は高圧燃料ポンプＰに予め組みつけることができるので、その組みつけは極めて容易なものである。
【００１３】
又、本発明によれば、ベーパーセパレータＶ内に滞溜する水、異物等のメンテナンス作業を極めて容易に行なうことができる。すなわち、かかるベーパーセパレータＶのメンテナンス作業にあってはカバー２と下側筐体１との螺着結合を解除して下側筐体１をカバー２より取り外し、下側筐体１内に滞溜する水、異物等を排出、清掃するものであるが、このように下側筐体１をカバー２より取り外した状態にあっても、高圧燃料ポンプＰは依然としてポンプホルダー９によってカバー２に挟持して固定保持される。以上によれば、下側筐体１がカバー２より取り外されても高圧燃料ポンプＰが脱落することがないので、メンテナンス作業、及び再び下側筐体１をカバー２に組みつける際の作業性を大きく向上できたものである。
【００１４】
更に、本発明によれば、燃料フィルター１２の濾過部材１２ａの濾過面積を減少させることなくベーパーセパレータＶを小型化できる。すなわち、高圧燃料ポンプＰはポンプホルダー９とカバー２とによって挟持固定されたことにより、ポンプホルダー９の底部９ａと下側筐体１の底部１ａとの間に空間部Ｋを形成でき、これによって燃料フィルター１２の濾過部材１２ａを高圧燃料ポンプＰの長手軸心方向Ｘ−Ｘにおける高圧燃料ポンプＰの投影面内に配置することができる。これは図２に示される如く、一点鎖線で示される高圧燃料ポンプＰの投影面内に濾過部材１２ａを配置することができたもので、これによるとこの投影面に相当する面積分、濾過部材１２ａが高圧燃料ポンプＰの側方へ突出することを抑止できる。上記の如く高圧燃料ポンプＰの側方への濾過部材１２ａの突出を少なくすることができたことによると、下側筐体１を小型化することが可能となり、これによってベーパーセパレータＶを小型化できたものである。尚、濾過部材１２ａの高圧燃料ポンプＰの投影面内に臨んで配置するということは、濾過部材１２ａの全てを投影面内に臨んで配置することを意味するものでない。
【図面の簡単な説明】
【００１５】
【図１】本発明になる船外機用の燃料供給装置の一実施例を示すベーパーセパレータの縦断面図を含む全体系統図。
【図２】図１のＢ−Ｂ線における要部横断面図。
【符号の説明】
【００１６】
２        カバー
２ｄ      支持腕部
２ｅ      係止孔
９        ポンプホルダー
９ｃ      有底筒部
９ｄ      係合腕部
９ｅ      係合突部
１２      燃料フィルター
１２ａ    濾過部材
Ｐ        高圧燃料ポンプ
Ｐｂ      ポンプ吸入路
Ｘ−Ｘ    高圧燃料ポンプの長手軸心方向
【図１】
2008175192.tif 000003
【図２】
2008175192.tif 000004